(57)【特許請求の範囲】
【請求項１】
キャビネット本体と後面カバーとで形成される箱状のキャビネットと、このキャビネットに装着されたスピーカユニットと、一端を上記キャビネットの開口部に装着したポート部と、このポート部の他端の開口端の対向する両端にこのポート部と一体にこのポート部の他端の内壁が開口部に向かって曲面となるように形成した上記後面カバーにビス固定される円柱状のボス部とで構成されるスピーカ装置。
【発明の詳細な説明】
【０００１】
【発明の属する技術分野】
本発明はテレビジョン受像機等の映像用機器や自動車、情報通信等の各種音響機器に使用されるスピーカ装置に関するものである。
【０００２】
【従来の技術】
従来からスピーカ装置の低音域再生や広帯域再生を可能とする技術の一つとして、スピーカユニットをキャビネットなどのボックス構造体で覆うものが一般的に用いられている。
【０００３】
従来のスピーカ装置について図５により説明する。図５は上記従来のスピーカ装置の後面分解斜視図を示すものである。同図において、１はキャビネット本体、２は後面カバーであり、３はキャビネット本体１の内部に固着したスピーカユニットで、４はキャビネット本体１の一部に設けた空気が出入りするポート部である。５はキャビネット本体１とスピーカユニット３を固定するスピーカユニット取付ビスで、６はキャビネット本体１と後面カバー２を固定する後面カバー取付ビスである。
【０００４】
以上のように、キャビネット本体１と後面カバー２を後面カバー取付ビス６で固定することでキャビネットを形成している。
【０００５】
以上のように構成された従来のスピーカ装置について以下にその動作を説明する。まず、スピーカユニット３に電気信号を印加すると音響信号に変換され音の波が発生する。その際音の波として、スピーカユニット３の前面から出る音を正の音とすると後面から出る音は逆相の負の音となり、打ち消しあおうとするが、干渉しないようにするためにスピーカユニット３をキャビネット本体１の内部にスピーカユニット取付ビス５で固着して周りをキャビネット本体１と後面カバー２で覆い、後面カバー取付ビス６で密閉し、更にキャビネットの内部の音の波をキャビネット本体１の一部に設けたポート部４を通して放射するようにしたことにより、スピーカユニット３のみでは出すことのできなかった低音域の再生を可能としていた。この時キャビネットの内部の音の波は、ポート部４によって共振を起こし、且つ位相を反転させることができるためスピーカユニット３の前面から出る正の音と同相になって特定の周波数を補強しあうことができ、このポート部４とキャビネットによって低音域での音の波をコントロールしていた。
【０００６】
【発明が解決しようとする課題】
しかしながら上記の従来の構成では、ポート部４はプラスチックのパイプや紙管あるいはキャビネットの面の一部で構成し、キャビネットの表面に出るポート部４の開口端はキャビネット本体１に結合しているので、ある程度の強度を確保することができるが、キャビネット本体１の内部のポート部４の終端部はフリーな状態となるため、ポート部４が弱くなり、特に音の波がポート部４の細い管の中を通ろうとすると、音の波の圧力によってポート部４自身が共振してしまい、必要な低音域の再生を阻害することになり、うまく低音域の共振周波数をコントロールすることができず、音圧周波数特性に悪影響を及ぼしていた。更にポート部４の中を音の波が通る際、層流となって放射されるため音響的高調波歪みの発生を招き、異常音の原因にもなっていた。
【０００７】
本発明は上記従来の課題を解決するもので、スピーカ装置に必要な低音域再生を容易に実現することができ、更に音の波がポート部を通る際に発生する共振を抑え、任意な値に低音域の共振周波数をコントロールするとともに、ポート部の中を音の波が通る際に発生する層流を拡散し乱すことにより音響的高調波歪みの発生をも防止することができる優れた音響性能を兼ね備え持ったスピーカ装置を提供することを目的とするものである。
【０００８】
【課題を解決するための手段】
上記課題を解決するために本発明のスピーカ装置は、キャビネット本体と後面カバーとで形成される箱状のキャビネットと、このキャビネットに装着されたスピーカユニットと、一端を上記キャビネットの開口部に装着したポート部と、このポート部の他端の開口端の対向する両端にこのポート部と一体にこのポート部の他端の内壁が開口部に向かって曲面となるように形成した上記後面カバーにビス固定される円柱状のボス部とで構成して、ポート部の開口端側もボス部を介して上記キャビネットに固着したので、ポート部自体の強度確保と音の波がポート部内を通る時に発生する共振を抑え、低音域の共振周波数をコントロールするというポート部本来の目的を障害なく実現できると共に、他端開口端を上記ボス部による曲面状として上記ポート部内を音の波が通過するときに発生する層流を拡散して乱すことにより高調波歪みの発生も抑制する優れたスピーカ装置の提供を可能とするものである。
【０００９】
【発明の実施の形態】
本発明の請求項１に記載のものは、キャビネット本体と後面カバーとで形成される箱状のキャビネットと、このキャビネットに装着されたスピーカユニットと、一端を上記キャビネットの開口部に装着したポート部と、このポート部の他端の開口端の対向する両端にこのポート部と一体にこのポート部の他端の内壁が開口部に向かって曲面となるように形成した上記後面カバーにビス固定される円柱状のボス部とで構成して、ポート部の開口端側もボス部を介して上記キャビネットに固着したので、ポート部自体の強度確保と音の波がポート部内を通る時に発生する共振を抑え、低音域の共振周波数をコントロールするというポート部本来の目的を障害なく実現できると共に、他端開口端を上記ボス部による曲面状として上記ポート部内を音の波が通過するときに発生する層流を拡散して乱すことにより高調波歪みの発生も抑制する優れたスピーカ装置の提供を可能としたものである。
【００１０】
以下、本発明のスピーカの一実施の形態について図１から図４により説明する。なお、従来技術と同一部分は同一番号を付して説明を省略して説明する。
【００１１】
（実施の形態１）
図１は本発明の一実施の形態のスピーカ装置の分解斜視図であり、図２は同上面図であり、図３は同音圧周波数および第二高調波歪特性図である。
【００１２】
同図によると、４ａは一端がキャビネットの開口部に装着され、他端の開口部で柱状のボス部４ｅと一体に形成されたポート部４ｃを有するポートである。なお、上記ボス部４ｅはポート部４ｃの開口部の対向する両コーナー端に設けられた円柱状のものであり、これによって上記ポート部４ｃの他端の開口部の内壁面は開口部に向かって曲面を形成している。
【００１３】
なお、８はボス部固定ビスであり、このボス部固定ビス８によってキャビネットの後面カバー２とポート４ａはポート部４ｃの他端の開口部側でもキャビネットに強固に装着されることになる。
【００１４】
以上のように、ポート４ａはその両端を強固にキャビネットに装着してポート４ａの強度の向上を図ると共に、ポート４ａの共振現象を抑制してスピーカ装置に必要な低音域再生を障害なく行えるものである。ポート部４ｃの容量等を変更することで必要とする低音域再生を容易に得ることができるものである。
【００１５】
また、ポート部４ｃの開口部端部を柱状のボス部４ｅと一体に設けたので、開口部端部の内壁面を曲面状としてポート部４ｃを通過する時に発生する層流を拡散して高調波歪みの発生を抑制するものである。
【００１６】
図３は従来のスピーカ装置と本実施の形態のスピーカ装置の音圧周波数特性と第二高調波歪特性の比較を示すものであり、１１は本実施の形態のスピーカ装置の音圧周波数特性を、１２は従来のスピーカ装置のそれを示すものであり、本実施の形態のスピーカ装置の方が平坦で且つ高帯域の音圧周波数特性を示し、低音域で伸びのある低域再生を示し、中音域にてもピークディップの少ない平坦な音圧周波数特性を示している。
【００１７】
また、１３は本実施の形態のスピーカ装置の第二高調波歪みを、１４は従来のスピーカ装置のそれを示すものであり、本実施の形態のスピーカ装置の方が低歪みを実現した高いリニアリティーを有するものであることが確認された。
【００１８】
（実施の形態２）
図４は他の実施の形態の上面図であり、実施の形態１との相違点のみ説明すると、４ｂはポートであり、ポート部４ｄの両端の開口部間の内壁面はポート部４ｄと一体でキャビネット本体１に固着される複数の柱状のボス部４ｆによって少なくとも一部の内壁面が凹凸状部１０を形成している。なお、ポート４ｂの上面は開口となっており、後面カバー２によってキャビネット本体１の開口部が覆われたとき、ポート４ｂの上面の開口も上記後面カバー２で覆ってポート４ｂが形成されるものである。
【００１９】
以上の構成によってポート部４ｄの中を音の波が通るときに発生する風切音などの層流をこの凹凸状部１０で拡散して高調波歪みをより抑制できるものである。
【００２０】
なお、上記各実施の形態におけるポート部４ｃ，４ｄは矩形形状としているが、低域再生を目的とする他の形状であっても良い。
【００２１】
【発明の効果】
以上のように本発明のスピーカ装置は、ポートの両端をキャビネットに固着してポートの強度向上と共振現象を抑制するとともに、ポート部の開口端の内面壁を曲面状にして高調波歪みの発生も抑制する優れたスピーカ装置を実現できるものである。
【図面の簡単な説明】
【図１】  本発明のスピーカ装置の一実施の形態の分解斜視図
【図２】  同上面図
【図３】  同音圧周波数・第二高調波歪特性図
【図４】  同他の実施の形態の上面図
【図５】  従来のスピーカ装置の分解斜視図
【符号の説明】
１  キャビネット本体
２  後面カバー
３  スピーカユニット
４ａ，４ｂ  ポート
４ｃ，４ｄ  ポート部
４ｅ  ボス部
４ｆ  他のボス部
【図１】
0003918233.tif 000002
【図２】
0003918233.tif 000003
【図３】
0003918233.tif 000004
【図４】
0003918233.tif 000005
【図５】
0003918233.tif 000006